(57)【特許請求の範囲】
【請求項１】
中央部にモータの回転軸に固定されるボスを有する主板と、吸込み導風壁を形成するシュラウドと複数の羽根部材を熱可塑性樹脂で別々に成形し、
前記主板は、前記複数の羽根部材との嵌合部を有し、
前記シュラウドは前記複数の羽根部材との嵌合部を有し、
前記羽根部材は中空成形またはブロー成形で一体となるように成形した羽根部材であり、
前記複数の羽根部材を、前記主板と前記シュラウドの前記複数の嵌合部に回転軸に平行に嵌合させ超音波溶着にて一体化するターボファンの製造方法であって、
前記羽根部材を中空成形またはブロー成形するために前記羽根部材に形成するエアー吸引穴は、前記羽根部材の前記主板の嵌合部または前記シュラウドの嵌合部に嵌め込まれる部位に設けたことを特徴とするターボファンの製造方法。
【請求項２】
前記主板と前記羽根部材との嵌合部、及び前記シュラウドと前記羽根部材との嵌合部に溶着エッジを設けたことを特徴とする請求項１に記載のターボファンの製造方法。
【請求項３】
前記シュラウドと前記羽根部材との嵌合部に設けた溶着エッジは、嵌合部の中央から羽根部材の正圧側または負圧側に偏らせて設けたことを特徴とする請求項１または請求項２に記載のターボファンの製造方法。
【請求項４】
前記シュラウドと前記羽根部材との嵌合部に設けた溶着エッジは、嵌合部の中央に設けたことを特徴とする請求項１または請求項２に記載のターボファンの製造方法。
【請求項５】
前記羽根部材は、主板との嵌合部、及びシュラウドとの嵌合部に溶着エッジを設けたことを特徴とする請求項１または請求項２に記載のターボファンの製造方法。
【請求項６】
前記羽根部材のエアー吸引穴が、羽根部材が挿入される前記主板側の嵌合部又はシュラウド側の嵌合部に塞がれるような形態で溶着エッジを設けたことを特徴とする請求項１から請求項５のいずれかに記載のターボファンの製造方法。
【発明の詳細な説明】
【技術分野】
【０００１】
本発明は、空気調和機に搭載される熱可塑性樹脂にて成形されるターボファンに係り、溶着組立性の向上及び生産性向上を図ったターボファンに関するものである。
【背景技術】
【０００２】
従来のターボファンは、主板と裏側に開口をもつ袋状の中空構造の複数の翼とが熱可塑性樹脂にて一体成形されたファン本体と、シュラウドとで構成されている。  また、ファン本体のそれぞれの翼には翼先端部から翼中空部に連通する嵌合メス部が形成され、シュラウドの各翼相当位置にはシュラウドよりファン高さ方向に延出する嵌合オス部が形成されている。
【０００３】
そして、シュラウドの嵌合オス部はファン本体の嵌合メス部に挿入後、シュラウドの表面とファン本体の傾斜面となる翼先端溶着部及びシュラウドの嵌合オス部の側面とファン本体の嵌合メス部の側面が固着されて一体となり、ターボファンが形成されている。このように形成されたシュラウドとファン本体の両者を固着させる際、シュラウドの嵌合オス部とファン本体の嵌合メス部とにより、容易かつ正確に位置決めが可能なため、製造精度が向上すると共に、生産性を向上させることができる（例えば、特許文献１参照）。
【０００４】
従来のターボファンは上述のように構成され、シュラウドとファン本体の固着時の製造精度が向上し、生産性の向上が可能である。しかし、シュラウドとファン本体との溶着面は、シュラウドの表面とファン本体の傾斜面となる翼先端溶着部及びシュラウドの嵌合オス部の側面とファン本体の嵌合メス部の側面であり、シュラウドとファン本体の組立て溶着時にターボファンの回転軸方向（上下方向）に両者が加圧されるが、ファン本体の翼先端溶着部は翼の回転方向に傾斜設置されているので翼先端溶着部は傾斜面となり、そのために上下方向の力が逃げ、翼に水平方向の力が付加されて溶着力が低下し、均等に溶着されないおそれがある。
【０００５】
また、水平方向の力を吸収するのは、シュラウドの嵌合オス部とファン本体の嵌合メス部の側面のみであるため、シュラウドの嵌合オス部とシュラウドの接続面に応力が集中して破損するおそれがある。
【０００６】
このような問題を解決するために特許文献２のターボファン及びその製造方法が提案開示されている。
しかし特許文献２の形状のターボファンは、図１４に示すような形状である。図１４には示していないが、ターボファンの翼部分と底板は一体成形されているので成形用の金型が複雑になるという問題があった。またシュラウドにも翼部分と同数の、翼部分と固着接合するための凸状嵌合部が設けられている。従ってシュラウドを成形する金型も複雑になり、製造コストが上昇するという問題があった。
【０００７】
また特許文献１及び特許文献２のターボファンは、主板と翼部分は一体化されており、製造する金型が複雑となり、製品のコストを押し上げる要因となっていた。
【先行技術文献】
【特許文献】
【０００８】
【特許文献１】特許第３５０９４５６号公報
【特許文献２】特開２００７−１２０４４５号公報
【発明の概要】
【発明が解決しようとする課題】
【０００９】
このような問題を解決するために、本発明は、ターボファンの構成部品である主板、シュラウド、及び中空成形又はブロー成形により一体化した羽根部材（翼）を、超音波溶着にて組み立て一体化したターボファンを提供する。本発明により、複雑な金型を使用することなく、ターボファンを製造することができ、そのコストを格段に低減することができる。
【００１０】
本発明は、上記の事情に鑑みてなされたものであり、従来のターボファンに比べて生産性に優れ、安価なターボファンを提供することを目的としている。
【課題を解決するための手段】
【００１１】
上記課題を解決するための第１発明のターボファンは、中央部にモータの回転軸に固定されるボスを有する主板と、吸込み導風壁を形成するシュラウドと複数の羽根部材を熱可塑性樹脂で別々に成形し、前記主板は、前記複数の羽根部材との嵌合部を有し、前記シュラウドは前記複数の羽根部材との嵌合部を有し、前記羽根部材は中空成形またはブロー成形で一体となるように成形した羽根部材であり、前記複数の羽根部材を、前記主板と前記シュラウドの前記複数の嵌合部に回転軸に平行に嵌合させ超音波溶着にて一体化したことを特徴とする。
【００１２】
第１発明によれば、ターボファンを、主板、シュラウド及び羽根部材をそれぞれ別々に製造し、組み立てしてターボファンを超音波溶着にて固着させている。また羽根部材は中空成形又はブロー成形で一体化されたものである。各構成部材を成形する金型の形状が簡素化されターボファンの製造コストが格段に安価となる。更に各構成部材を超音波溶着により組立てているので、ターボファンをレーザ溶接法に比べて安価に製造することができる。更に羽根部材を一体成形したものであり、ターボファンを製造する際の歩留まりを向上させることができる。
【００１３】
第２発明のターボファンは、第１発明において、前記羽根部材を中空成形またはブロー成形するために前記羽根部材に形成するエアー吸引穴は、前記羽根部材の前記主板の嵌合部または前記シュラウドの嵌合部に嵌め込まれる部位に設けたことを特徴とする。
【００１４】
第２発明によれば、羽根部材を中空成形またはブロー成形により成形する際に形成されるエアー吸引穴は、羽根部材が主板側の嵌合部に嵌め込まれる部位、又は羽根がシュラウド側の嵌合部に嵌め込まれる部位のいずれかに設けられている。従ってエアー吸引穴は、主板側の羽根部材の嵌合部又はシュラウド側の羽根部材の嵌合部に収まるので、羽根部材の内部の中空の空間と外気は連通しにくいので羽根部材の正圧側および負圧側が薄肉であっても羽根部材としての強度を保つことができる。
【００１５】
第３発明のターボファンは、第１発明または第２発明において、前記主板と前記羽根部材との嵌合部、及び前記シュラウドと前記羽根部材との嵌合部に溶着エッジを設けたことを特徴とする。
【００１６】
第３発明によれば、主板とシュラウドが羽根部材と接合される部分には溶着エッジが設けられているので、過度な加圧力を加えることなく超音波溶着をすることができる。従ってターボファンの品質を確保するとともに、歩留まりを向上させることができる。
【００１７】
第４発明のターボファンは、第１発明から第３発明のいずれか１つの発明において、前記シュラウドと前記羽根部材との嵌合部に設けた溶着エッジは、嵌合部の中央から羽根部材の正圧側または負圧側に偏らせて設けたことを特徴とする。
【００１８】
第４発明によれば、羽根部材がシュラウドに嵌合される部分に、その中央から偏らせて溶着エッジが設けられているので、超音波溶着加工の加圧力が主板またはシュラウドを通じて羽根部材に加えられても羽根部材が適正な姿勢を保持して超音波溶着をすることができる。従ってターボファンの品質を確保するとともに、歩留まりを向上させることができる。
【００１９】
第５発明のターボファンは、第１発明から第３発明のいずれか１つの発明において、前記シュラウドと前記羽根部材との嵌合部に設けた溶着エッジは、嵌合部の中央に設けたことを特徴とする。
【００２０】
第５発明によれば、羽根部材の風を押し出す正圧面とその反対面がその頂部から底部に亘り同一形状である羽根部材の場合、第４発明と同様の効果を発現する。
【００２１】
第６発明のターボファンは、第１発明から第３発明のいずれか１つの発明において、前記羽根部材は、主板との嵌合部、及びシュラウドとの嵌合部に溶着エッジを設けたことを特徴とする。
【００２２】
第６発明によれば、第４発明及び第５発明と同様の効果を発現する。
【００２３】
第７発明のターボファンは、第１発明から第６発明のいずれか１つの発明において、前記羽根部材のエアー吸引穴が、羽根部材が挿入される前記主板側の嵌合部又はシュラウド側の嵌合部に塞がれるような形態で溶着エッジを設けたことを特徴とする。
【００２４】
第７発明によれば、羽根部材のエアー吸引穴が、羽根部材が挿入される前記主板側の嵌合部又はシュラウド側の嵌合部に塞がれるような形態で溶着エッジを設けている。従って羽根部材が主板側の嵌合部とシュラウド側の嵌合部に嵌め込まれ超音波溶着で接合されると、羽根部材の内部の中空の空間と外気は完全に連通しなくなり、第２発明の効果が更に顕著に発現する。
【図面の簡単な説明】
【００２５】
【図１】本発明のターボファンの主板、シュラウド及び羽根部材の組立時のセット状態を示す斜視図。
【図２】本発明のターボファンの完成した状態を示す斜視図。
【図３】本発明のターボファンの主板の全体概略図。
【図４】図３の主板と羽根部材との嵌合部の拡大図。
【図５】図３の主板と羽根部材との嵌合部の溶着エッジの説明図。
【図６】図３の主板と羽根部材とを嵌合させた状態の説明図。
【図７】本発明のターボファンのシュラウドを裏側から見た全体概略図。
【図８】図７のシュラウドと羽根部材との嵌合部の拡大図。
【図９】図７のシュラウドと羽根部材との嵌合部の拡大図。
【図１０】図７のシュラウドと羽根部材とを嵌合させた状態の説明図。
【図１１】本発明のターボファンの羽根部材の全体概略図。
【図１２】羽根部材の成形工程の説明図。
【図１３】主板における嵌合部の溶着エッジの別形態の説明図。
【図１４】従来型のターボファンの完成した状態を示す斜視図。
【発明を実施するための形態】
【００２６】
本発明のターボファンについて図１から図１４により説明する。
【００２７】
図１は本発明のターボファンの主板、シュラウド及び羽根部材の組立時のセット状態を示す斜視図、図２は本発明のターボファンの完成した状態を示す斜視図、図３は本発明のターボファンの主板の全体概略図、図４は図３の主板と羽根部材との嵌合部の拡大図、図５は図３の主板と羽根部材との嵌合部の溶着エッジの説明図、図６は図３の主板と羽根部材とを嵌合させた状態の説明図、図７は本発明のターボファンのシュラウドを裏側から見た全体概略図、図８は図７のシュラウドと羽根部材との嵌合部の拡大図、図９は図７のシュラウドと羽根部材との嵌合部の拡大図、図１０は図７のシュラウドと羽根部材とを嵌合させた状態の説明図、図１１は本発明のターボファンの羽根部材の全体概略図、図１２は図１１の羽根部材を成形する工程の説明図、図１３は主板における嵌合部の溶着エッジの別形態の説明図、及び図１４は従来型のターボファンの完成した状態を示す斜視図である。
【００２８】
図２において、本発明のターボファン１は、円板状の主板２、ファンの吸込導風路を形成するシュラウド３、及び主板２とショラウド３を接続する複数の羽根部材４により構成されている。各部品は、熱可塑性樹脂を用いて個別に射出成形される。羽根部材４は、主板２及びシュラウド３の周辺部に複数個所設けた嵌合部に嵌め込んで組立て接合される。接合は、超音波溶着により接合される。尚羽根部材４の構造は、＜３＞にて詳述するが、図１に示すように、風を押し出す正圧面とその反対面である負圧面を有する。正圧面と負圧面は、ターボファンの送風特性を実現するために所要の曲面形状を呈する。但し、図１４に示すように、風を押し出す正圧面とその反対面（負圧面）がその頂部から底部に亘り同一形状（ストレート）である場合もある。
【００２９】
従来、各部材を個別で成形し、組立接合する場合は、超音波溶着にて接合することは、難しくレーザ溶接法にて行なわれていた。レーザ溶接法は、接合する対象物に加圧力を加える必要がなく、レーザ照射により接合することができる。しかしながら、その装置は高価なものである。従ってその装置により製造されたターボファンは高価なものとなる。本発明はこのような問題を解決するためのものである。本発明は、個別に成形した構成部材を図１のように配置して超音波溶着により組立接合することを可能とするものである。発明者は、構成部材の構成及び構造に種々改良を加え、本発明に到達した。以下各部材の構成及び構造について説明する。
【００３０】
＜１＞主板の構造
主板２は、図３に示すように、その中央部にモータを覆うように形成された凸形状のハブ２２と、ハブ２２の中心部にモータのシャフトが高さ方向（図１から図３の上下方向）に挿入されて固定されるボス２１とを有している。また主板の周縁部には、図３に示すように、羽根部材４と組立接合する際に羽根部材を嵌込む嵌合部２３を羽根部材４の個数分設けられている。
【００３１】
嵌合部２３は、図４のように構成されている。所定高さ及び厚さを有して主板上に立設し周回するように形成した壁部２３１、ピン部２３２及び溶着エッジ２３３により構成されている。図１１に示す羽根部材４は、後述する中空成形やブロー成形により一体にて成形されたものである。この羽根部材４の底部４２は、この嵌合部２３に嵌込まれる。この時、羽根部材４の底部４２には図１１に示す穴４６が設けられており、この穴にピン２３２が挿通する（図６参照）。羽根部材４の底部４２は、この壁部２３１とピン２３２により嵌め込まれ位置決めされる。また嵌合部２３に羽根部材４の底部４２が嵌め込まれると、図６に示すように羽根部材の底部４２の底面が溶着エッジ２３３に接触する状態となる。溶着エッジは、図４及び図５に示すように、ピン２３２を囲むように、壁部２３１に沿うように内側に２列設けられている。その断面は、略三角形状を呈している。
【００３２】
図６は、主板２と羽根部材４が超音波溶着により接合される直前の状態を示している。鋏合部２３を図４及び図５のように構成することにより、超音波溶着時の加圧力を受けても安定した姿勢で接合することができる。
【００３３】
＜２＞シュラウドの構造
シュラウド３を図７により説明する。図７は、図１及び図２のシュラウド３を、嵌合部３３が見えるように裏面から見た図面である。シュラウド３は、図７に示すように、中央部には大きな開口部３１を有している。また周辺部３２には、主板２に嵌合された羽根部材４に相対する位置に、羽根部材の頂部４３（図１１参照）と嵌合する嵌合部３３を羽根部材と同数備えている。周辺部３２は、外周方向に略傾斜面を呈している。嵌合部３３は、図８に示すように、羽根部材の頂部４３の形状に合わせて階段状を呈し、その壁部３３２に沿って羽根部材４の頂部４３が嵌まり込み位置決めされるように構成されている。嵌合部３３は、以下本実施形態の形状に即して嵌合凹部３３という。
【００３４】
また嵌合凹部３３の天井部３３１には、図９に示すように、溶着エッジ３３３が設けられている。溶着エッジは、階段部分の天井部に、一列設けられている。この溶着エッジ３３３は、嵌合凹部３３の天井部３３１の中央ではなく壁部３３２に対して羽根部材の正圧面側（羽根部材が風を押し出す面側）または負圧面側（正圧面側と反対面側）に偏らせて設けている。尚本実施例の図９では正圧側に偏らせている。溶着エッジの断面は、略三角形状を呈している。この嵌合凹部に羽根部材４の頂部４３が嵌め込まれると、頂部４３は溶着エッジ３３３に接触する状態となる（図１０参照）。
【００３５】
羽根部材４の形状が、図１４の羽根部材のように、風を押し出す正圧面とその反対面がその頂部から底部に亘り同一形状（ストレート）である羽根部材の場合、溶着エッジは以下の構成とすることができる。すなわち、嵌合凹部３３の天井部３３１に設けた溶着エッジ３３３は、嵌合凹部３３の壁部３３２に沿ってその嵌合凹部の中央に設ける構成とすることができる。
【００３６】
図１０は、シュラウド３と羽根部材４が超音波溶着により接合される直前の状態を示している。鋏合凹部３３を図８及び図９のように構成することにより、超音波溶着時の加圧力を受けても安定した姿勢で接合することができる。
【００３７】
＜３＞羽根部材の構造
羽根部材４について、図１１及び図１２により説明する。羽根部材は、複数枚あるので、ターボファンを軽量化するために、内部を空洞化する必要がある。このため本発明の羽根部材４は、中空成形又はブロー成形により一体化され成形される。図１１に示すように、羽根部材４は、主板２の嵌合部２３に嵌り込む底部４２とシュラウド３の嵌合凹部３３に嵌り込む頂部４３を備えている。羽根部材の翼の部分相当する正圧面は４４であり、負圧面は４５である。また底部４２には、主板２の嵌合部２３のピン２３２が挿通する穴４６が設けられている。この穴４６は、ブロー成形時に形成されるエアー吸引穴である。図示しないが、この穴４６は、羽根部材４の頂部４３に設けることもできる。この場合は、穴４６に挿通するピンは、嵌合凹部３３に設けることとなる。主板２とシュラウド３は、各々の嵌合部２３と嵌合凹部３３に複数の羽根部材４の底部４２と頂部４３を嵌め込み組み立てられ超音波溶着で接合される。
【００３８】
図１２により、羽根部材４をブロー成形で一体化成形する成形方法について説明する。ブロー成形は、公知の方法を使用することができる。概略以下のように図１２の工程１〜工程４により成形される。
１）工程1
ノズルＮから溶融した筒状の樹脂Ｒを、金型Ｍが開いた間の空間に流し込む。
２）工程２
金型Ｍを閉じ筒状の樹脂Ｒを挟み込む。
３）工程３
閉じた金型Ｍの合わせ面からノズルｎを挿入し、ノズルｎからエアーを注入し樹脂Ｒが中空の羽根部材４として成形され冷却される。
４）工程４
金型Ｍを開き羽根部材４を取り出す。
【００３９】
このようなブロー成形により肉厚がほぼ均一であり、内部空間が中空な羽根部材４が得られる。
【００４０】
本発明の羽根部材４は、図１１に示すように、エアー吸引穴４６が形成されている。この穴４６は、図６に示すように主板２３の嵌合部２３３の底部にその穴は塞がれて、主板を超音波溶着で接合される。従って羽根部材の内部と外気が連通しにくくなり、羽根部材の剛性が高まり上下方向の加圧力が加えられても変形しにくい構造となっている。
【００４１】
また主板、シュラウド及び羽根部材を一体に接合した後の羽根部材の剛性を向上させる手段として以下のような方法を採用することができる。その方法について図１３により説明する。図１３（ａ）は、嵌合部２３の斜視図であり、図１３（ｂ）は、嵌合部２３を上方から視た図である。
【００４２】
主板２の羽根部材４との嵌合部２３に設ける溶着エッジとして、図４の溶着エッジ２３３以外にピン２３２の周りに溶着エッジ２３４と２３５も設けている。これにより、羽根部材の穴４６にピン２３２が挿通した後に超音波溶着すると溶着エッジ２３４と２３５が溶融し羽根部材４の穴４６とピン２３２の間の隙間を埋めることになる。これにより羽根部材の内部空間と外気は完全に連通しなくなり、羽根部材の剛性は更に高まることになる。従ってターボファン成形時の加圧力に対しての剛性が高まり、更に品質の良いターボファンが得られる。またターボファンの性能向上にも繋がる。
【００４３】
また超音波溶着時に作用する溶着エッジは、これまでの説明では、主板の嵌合部とシュラウドの嵌合凹部に設けていた。しかしこれに限定されるものではなく、例えば以下の構成とすることもできる。すなわち、溶着エッジは、嵌合部に設けるのではなく、羽根部材の底部４２と頂部４３に設ける構成とすることもできる。
【００４４】
＜４＞ターボファンの組立接合
上記ように構成された、主板２、シュラウド３及び複数の羽根部材４を図１に示すように、主板２の嵌合部２３に羽根部材４の底部４２を嵌め合せ、シュラウド３の嵌合凹部３３に羽根部材４の頂部４３を嵌め合せし仮組を行なう。このように仮組されたものを、以下「ワーク」と称する。この状態で、羽根部材４の底部４２は、図６に示すように主板２の嵌合部２３の溶着エッジと接触している状態である。また、羽根部材４の頂部４３は、図１０に示すようにシュラウド３の嵌合凹部３３の溶着エッジと接触している状態である。
【００４５】
このように仮組されたワークを超音波溶着機の治具上に載置する。ワークのシュラウド３の所定位置を超音波溶着機のホーンが接触加圧して、溶着エッジが溶融しワークは一体化される。ワークを超音波溶着機の治具上に載置する方法は、図１に示すように主板２を治具上にセットしても良いし、反転してシュラウドを治具上にセットしても良い。
【００４６】
この超音波溶着加工の過程において、主板２の嵌合部２３の構成、シュラウド３の嵌合凹部３３の構成、及び羽根部材４を嵌め込んだ構成が相互に作用し、各部材が位置ズレすることなく、また羽根部材４と超音波溶着することができる。従って超音波溶着加工により安定した品質のターボファンを得ることができる。しかも製造コストは、レーザ溶接法に比べ格段に安価である。
【符号の説明】
【００４７】
１      ターボファン
２      主板
２１    ボス
２２    ハブ
２３    嵌合部
２３１  壁部
２３２  ピン部
２３３  溶着エッジ
２３４  溶着エッジ
２３５  溶着エッジ
３      シュラウド
３１    開口部
３２    周辺部
３３    嵌合凹部
３３１  天井部
３３２  壁部
３３３  溶着エッジ
４      羽根部材
４１    本体
４２    羽根部材の底部
４３    羽根部材の頂部
４４    羽根部材の正圧面
４５    羽根部材の負圧面
４６    穴
Ｍ      金型
Ｎ      ノズル
ｎ      ノズル
Ｒ      樹脂
【図１】
0006001520.tif 000002
【図２】
0006001520.tif 000003
【図３】
0006001520.tif 000004
【図４】
0006001520.tif 000005
【図５】
0006001520.tif 000006
【図６】
0006001520.tif 000007
【図７】
0006001520.tif 000008
【図８】
0006001520.tif 000009
【図９】
0006001520.tif 000010
【図１０】
0006001520.tif 000011
【図１１】
0006001520.tif 000012
【図１２】
0006001520.tif 000013
【図１３】
0006001520.tif 000014
【図１４】
0006001520.tif 000015